(57)【要約】【課題】医療書類の作成効率を向上させる。【解決手段】撮像装置１００が撮像した元画像に制御端末２００が撮像位置や撮像装置の種別などを示すヘッダ情報を付加する。ヘッダ情報が付加された元画像情報を画像処理装置３００で処理して診断用画像を生成するとともに、画像処理モードなどを示すヘッダ情報を追加する。画像処理装置３００で読影報告書を作成する際、取り込む診断画像を指定する。画像処理装置３００は、指定された処理画像のヘッダ情報を参照し、撮像装置と撮像部位を特定し、対応する辞書ファイルを指定する。読影報告書に担当者が所見を音声入力する際、指定された辞書ファイルを用いて音声認識を行う。【選択図】　図１
2004102509.tif 000002
【特許請求の範囲】
【請求項１】
少なくとも医療用語に関する言語情報を分類して格納する言語情報格納手段と、
所定の医療書類を作成する医療書類作成手段と、
前記医療書類作成手段が作成する医療書類に関連する事項を判別する関連事項判別手段と、
前記関連事項判別手段の判別結果に基づいて、前記言語情報格納手段に格納されている言語情報を選択する言語情報選択手段と、
前記医療書類作成手段が作成する医療書類に記録される情報であって、少なくとも所定の自然言語で構成される情報を入力する入力手段と、
を備えた医療書類作成支援装置であって、
前記入力手段は、前記言語情報選択手段が選択した言語情報を用いて入力を行う、
ことを特徴とする医療書類作成支援装置。
【請求項２】
前記医療書類作成手段は、作成する医療書類に含ませる所定の画像情報と、該画像情報に付随する付加情報と、を取り込む画像情報取込手段をさらに備え、
前記関連事項判別手段は、前記画像情報取込手段が取り込んだ付加情報に基づいて、取り込んだ画像情報の属性を判別する、
ことを特徴とする請求項１に記載の医療書類作成支援装置。
【請求項３】
前記入力手段は、
音声情報を入力する音声入力手段と、
前記音声入力手段に入力された音声情報を音声認識する音声認識手段と、をさらに備え、
前記音声認識手段は、前記言語情報選択手段が選択した言語情報を用いて音声認識を行う、
ことを特徴とする請求項１または２に記載の医療書類作成支援装置。
【請求項４】
前記言語情報は、前記入力手段が自然言語を入力する際に参照する辞書ファイルであり、
前記言語情報格納手段は、前記辞書ファイルを、少なくとも所定の身体部位毎に分類して格納し、
前記関連事項判別手段は、前記画像情報取込手段が取り込んだ付加情報に基づいて、取り込んだ画像情報に示される身体部位を判別し、
前記言語情報選択手段は、前記関連事項判別手段が判別した身体部位に対応する辞書ファイルを選択する、
ことを特徴とする請求項２乃至３のいずれか１項に記載の医療書類作成支援装置。
【請求項５】
前記言語情報格納手段は、前記辞書ファイルを、少なくとも所定の医療装置種別毎に分類して格納し、
前記関連事項判別手段は、前記画像情報取込手段が取り込んだ付加情報に基づいて、取り込んだ画像情報を生成した医療装置の種別を判別し、
前記言語情報選択手段は、前記関連事項判別手段が判別した医療装置の種別に対応する辞書ファイルを選択する、
ことを特徴とする請求項４に記載の医療書類作成支援装置。
【請求項６】
前記医療書類は、読影報告書であり、
前記画像情報取込手段は、読影報告書に含ませる診断画像を示す画像情報と、該画像情報に付随する付加情報と、を取り込み、
前記入力手段は、当該診断画像に対する所見等を入力する、
ことを特徴とする請求項２乃至５のいずれか１項に記載の医療書類作成支援装置。
【請求項７】
コンピュータを、請求項１乃至６のいずれか１項に記載の医療書類作成支援装置として機能させることを特徴とするプログラム。
【発明の詳細な説明】
【０００１】
【発明の属する技術分野】
本発明は、医療書類作成支援装置、および、プログラムに関し、特に、医療書類の作成効率向上に資する医療書類作成支援装置、および、プログラムに関する。
【０００２】
【従来の技術】
医療現場では種々の書類が作成される。近年の情報処理機器の普及に伴い、これらの書類は電子化され、ディジタルデータ（電子書類）として保存されるようになりつつある。ディジタルデータの作成にあたっては、種々の入力作業が伴う。従来、キーボードなどの入力装置による入力が一般的であったが、音声認識技術の発達により、音声入力方式が普及しつつあり、入力作業の効率化に寄与している。
【０００３】
ここで、日本語入力においては、ソフトウェア処理による、いわゆる「かな漢字変換」が行われることが一般的である。この場合、通常、辞書ファイルを参照して変換が行われる。辞書ファイルには、読みと変換語との対応関係や文法的規則などが記述されている。このような辞書ファイルとして、一般的に用いられる語を記録した辞書の他に、専門分野特有の用語等に対応した専門辞書が必要に応じて用意されており、特殊な用語や言い回しでもスムースに変換することができる。
【０００４】
上述の医療分野においても専門辞書が従来から存在するが、医療分野は多岐にわたり、かつ、特殊な用語や語法が多いため、辞書ファイルの情報量がきわめて膨大となる。一方で、診察科目や診察対象の身体部位、あるいは、使用する医療機器の種類などによって、用いられる専門用語がある程度限定されるという一面もある。
【０００５】
したがって、医療用語のすべてを網羅した単一の辞書ファイルを用いた場合、膨大な情報量の中から変換候補を選出しなければならないため、処理時間が長大になることがある。あるいは、提示される変換候補が多くなることがあり、ユーザがその中から該当する語を峻別しなければならない。また音声入力方式の場合、誤認識率も高くなってしまう。したがって、単一の医療専門辞書を用いることは、効率的な変換処理を阻害してしまう虞がある。
【０００６】
一方、辞書ファイルを細分化させた場合であっても、対象身体部位、使用した医療機器、診察科目、担当医師、対象患者の属性、対象疾病、状況、処置内容、投与した薬剤、などといった流動的な諸条件に応じて最適な辞書ファイルが異なってくるので、書類を作成（更新）する度に最適な辞書ファイルを選択しなければならない。したがって、煩雑な作業が伴うことになり、作業効率を低下させてしまう。
【０００７】
【発明が解決しようとする課題】
本発明は、上記実状に鑑みてなされたもので、医療書類の作成効率を向上させる医療書類作成支援装置等を提供することを目的とする。
【０００８】
【課題を解決するための手段】
上記目的を達成するため、本発明の第１の観点にかかる医療書類作成支援装置は、
少なくとも医療用語に関する言語情報を分類して格納する言語情報格納手段と、
所定の医療書類を作成する医療書類作成手段と、
前記医療書類作成手段が作成する医療書類に関連する事項を判別する関連事項判別手段と、
前記関連事項判別手段の判別結果に基づいて、前記言語情報格納手段に格納されている言語情報を選択する言語情報選択手段と、
前記医療書類作成手段が作成する医療書類に記録される情報であって、少なくとも所定の自然言語で構成される情報を入力する入力手段と、
を備えた医療書類作成支援装置であって、
前記入力手段は、前記言語情報選択手段が選択した言語情報を用いて入力を行う、
ことを特徴とする。
【０００９】
上記医療書類作成支援装置において、
前記医療書類作成手段は、作成する医療書類に含ませる所定の画像情報と、該画像情報に付随する付加情報と、を取り込む画像情報取込手段をさらに備えていることが望ましく、この場合、
前記関連事項判別手段は、前記画像情報取込手段が取り込んだ付加情報に基づいて、取り込んだ画像情報の属性を判別する。
【００１０】
上記医療書類作成支援装置において、
前記入力手段は、
音声情報を入力する音声入力手段と、
前記音声入力手段に入力された音声情報を音声認識する音声認識手段と、をさらに備えていることが望ましく、この場合、
前記音声認識手段は、前記言語情報選択手段が選択した言語情報を用いて音声認識を行う。
【００１１】
ここで用いられる前記言語情報は、前記入力手段が自然言語を入力する際に参照する辞書ファイルとすることができ、この場合、
前記言語情報格納手段は、前記辞書ファイルを、少なくとも所定の身体部位毎に分類して格納し、
前記関連事項判別手段は、前記画像情報取込手段が取り込んだ付加情報に基づいて、取り込んだ画像情報に示される身体部位を判別し、
前記言語情報選択手段は、前記関連事項判別手段が判別した身体部位に対応する辞書ファイルを選択することができる。
【００１２】
また、前記言語情報格納手段は、前記辞書ファイルを、少なくとも所定の医療装置種別毎に分類して格納してもよく、この場合、
前記関連事項判別手段は、前記画像情報取込手段が取り込んだ付加情報に基づいて、取り込んだ画像情報を生成した医療装置の種別を判別し、
前記言語情報選択手段は、前記関連事項判別手段が判別した医療装置の種別に対応する辞書ファイルを選択することができる。
【００１３】
前記医療書類は、読影報告書とすることができ、この場合、
前記画像情報取込手段は、読影報告書に含ませる診断画像を示す画像情報と、該画像情報に付随する付加情報と、を取り込み、
前記入力手段は、当該診断画像に対する所見等を入力する。
【００１４】
上記のような構成によれば、医療情報を作成する際の入力効率を向上させることができ、医療書類の作成効率を向上させることができる。
【００１５】
上記目的を達成するため、本発明の第２の観点にかかるプログラムは、
コンピュータを、上記医療書類作成支援装置として機能させることを特徴とする。
【００１６】
【発明の実施の形態】
以下、本発明にかかる実施の形態を図面を参照して説明する。本実施の形態では、所定の画像診断装置を備えた医療施設（以下、「医療施設Ｈ」とする）において、画像診断の所見を記録する「読影報告書」を作成する場合を例に説明する。
【００１７】
図１は、本発明の実施の形態にかかる医療書類作成システムの構成を示す図である。図示するように、本実施の形態にかかる医療書類作成システム１は、通信ネットワーク１０と、撮像装置１００と、制御端末２００と、画像処理装置３００と、から構成される。
【００１８】
通信ネットワーク１０は、医療施設Ｈ内で、制御端末２００と画像処理装置３００とを相互接続して情報伝達を媒介する通信ネットワークであり、例えば、ＤＩＣＯＭ（Ｄｉｇｉｔａｌ　Ｉｍａｇｉｎｇ　ａｎｄ　ＣＯｍｍｕｎｉｃａｔｉｏｎｓ　ｉｎ　Ｍｅｄｉｃｉｎｅ）などの所定の通信プロトコルに基づいた情報伝達を媒介する。
【００１９】
次に撮像装置１００について説明する。撮像装置１００は、医療施設Ｈ内で画像診断等に用いられる撮像装置であり、例えば、以下のような装置である。
（１）ＭＲＩ（磁気共鳴画像装置）
（２）ＣＴスキャナ（コンピュータ断層撮影装置）
（３）ＰＥＴ（ポジトロン断層撮影装置）
【００２０】
本実施の形態では、撮像装置１００は、後述する制御端末２００により制御され、患者の所定部位の画像データを取得するものである。撮像装置１００と制御端末２００とは、例えば、ＤＩＣＯＭ（Ｄｉｇｉｔａｌ　Ｉｍａｇｉｎｇ　ａｎｄ　ＣＯｍｍｕｎｉｃａｔｉｏｎｓ　ｉｎ　Ｍｅｄｉｃｉｎｅ）などの所定の医用画像通信規格に基づいて接続されているものとする。ここで、上記ＤＩＣＯＭ規格では、撮像した画像を示す画像情報に、任意の情報をヘッダ情報として埋め込むことができるものである。したがって、本実施の形態で採用できる画像規格は任意であるが、少なくとも、任意の情報を付加情報として画像情報に含めることができるものとする。
【００２１】
次に制御端末２００について説明する。制御端末２００は、所定の情報処理装置から構成され、接続されている撮像装置１００の動作を制御するとともに、撮像装置１００が撮像した画像データを取得する。図２を参照して制御端末２００の構成を説明する。
【００２２】
図２は、制御端末２００の構成を示すブロック図である。図示するように、制御端末２００は、制御部２１０と、通信制御部２２０と、入力制御部２３０と、出力制御部２４０と、プログラム格納部２５０と、元画像ＤＢ２６０と、から構成される。
【００２３】
制御部２１０は、例えば、ＣＰＵ（Ｃｅｎｔｒａｌ　Ｐｒｏｃｅｓｓｉｎｇ　Ｕｎｉｔ：中央演算処理装置）やワークエリアとなる所定の記憶装置（ＲＡＭ（Ｒａｎｄｏｍ　Ａｃｃｅｓｓ　Ｍｅｍｏｒｙ）など）から構成され、制御端末２００の各部を制御するとともに、プログラム格納部２５０に格納されている所定の動作プログラムに基づいて後述する各処理を実行する。
【００２４】
通信制御部２２０は、例えば、所定のＮＩＣ（Ｎｅｔｗｏｒｋ　Ｉｎｔｅｒｆａｃｅ　Ｃａｒｄ）などの所定の通信装置から構成され、制御端末２００と通信ネットワーク１０とを接続し、画像処理装置３００との通信を行う。
【００２５】
入力制御部２３０は、例えば、キーボードやポインティング・デバイスなどの所定の入力装置２３を接続し、入力装置２３から入力された、制御部２１０への指示や画像情報に付される情報などを受け付けて制御部２１０に伝達する。
【００２６】
出力制御部２４０は、例えば、ディスプレイ装置やプリンタなどの所定の出力装置２４を接続し、制御部２１０の処理結果などを必要に応じて出力装置２４に出力する。
【００２７】
プログラム格納部２５０は、例えば、ハードディスク装置やＲＯＭ（Ｒｅａｄ　Ｏｎｌｙ　Ｍｅｍｏｒｙ）などの所定の記憶装置から構成され、制御部２１０が実行する種々の動作プログラムが格納されている。プログラム格納部２５０に格納される動作プログラムは、制御端末２００の基本動作を司る任意のＯＳ（Ｏｐｅｒａｔｉｎｇ　Ｓｙｓｔｅｍ：基本ソフトウェア）の他に、ＯＳと協働して後述する各処理を実現するための以下のような動作プログラムが格納されているものとする。
（１）「制御プログラム」：撮像装置１００の制御を行うプログラム
（２）「ＤＢ管理プログラム」：元画像ＤＢ２６０の入出力を管理するプログラム
（３）「通信プログラム」：通信制御部２２０を制御して、通信ネットワーク１０を介した通信を行うプログラム
【００２８】
元画像ＤＢ２６０は、例えば、ハードディスク装置などの書き換え可能な記憶装置などから構成され、撮像装置１００が撮像した画像を構成する画素を示す「元画像情報」と、これに付随する所定の「ヘッダ情報」から構成される「元画像ファイル」を蓄積する。図３に元画像ＤＢ２６０に記録される情報の例を示す。図示するように、元画像ＤＢ２６０には、各元画像ファイルに割り当てられた画像ＩＤ毎にレコードが作成され、各レコードに、撮像された画像を示す元画像情報と、当該元画像ファイルのヘッダ情報とが記録される。図示するように、ヘッダ情報として、例えば、以下のような情報が記録される。
（１）「患者情報」：患者の属性（氏名、性別、生年月日（年齢）など）を示す（２）「担当者情報」：撮像担当者を特定する情報
（３）「装置情報」：使用した撮像装置１００を特定する情報（種別や機種名など）
（４）「相対座標情報」：撮像箇所の座標を示す情報
（５）「関連情報」：撮像時の処置（例えば、造影剤使用の有無など）や各種パラメータなどを示す情報
【００２９】
次に、画像処理装置３００について説明する。画像処理装置３００は、例えば、ワークステーションなどの所定の情報処理装置から構成され、制御端末２００から画像（以下、「元画像」とする）を取得して、所定の画像処理を施すとともに、処理された画像（以下、「処理画像」とする）を用いた医療書類を作成する。図４を参照して画像処理装置３００の構成を説明する。
【００３０】
図４は、画像処理装置３００の構成を示すブロック図である。図示するように、画像処理装置３００は、制御部３１０と、通信制御部３２０と、入力制御部３３０と、出力制御部３４０と、プログラム格納部３５０と、データベース部３６０と、から構成される。
【００３１】
制御部３１０は、例えば、ＣＰＵ（Ｃｅｎｔｒａｌ　Ｐｒｏｃｅｓｓｉｎｇ　Ｕｎｉｔ：中央演算処理装置）やワークエリアとなる所定の記憶装置（ＲＡＭ（Ｒａｎｄｏｍ　Ａｃｃｅｓｓ　Ｍｅｍｏｒｙ）など）から構成され、画像処理装置３００の各部を制御するとともに、プログラム格納部３５０に格納されている所定の動作プログラムに基づいて後述する各処理を実行する。
【００３２】
通信制御部３２０は、例えば、所定のＮＩＣ（Ｎｅｔｗｏｒｋ　Ｉｎｔｅｒｆａｃｅ　Ｃａｒｄ）などの所定の通信装置から構成され、画像処理装置３００と通信ネットワーク１０とを接続し、制御端末２００との通信を行う。
【００３３】
入力制御部３３０は、例えば、キーボードやポインティング・デバイス、マイクロフォンなどの所定の入力装置３３を接続し、入力装置３３から入力された、制御部３１０への指示や各データベースに記録される情報などを受け付けて制御部３１０に伝達する。
【００３４】
出力制御部３４０は、例えば、ディスプレイ装置やプリンタなどの所定の出力装置３４を接続し、制御部３１０の処理結果などを必要に応じて出力装置３４に出力する。
【００３５】
プログラム格納部３５０は、例えば、ハードディスク装置やＲＯＭ（Ｒｅａｄ　Ｏｎｌｙ　Ｍｅｍｏｒｙ）などの所定の記憶装置から構成され、制御部３１０が実行する種々の動作プログラムが格納されている。プログラム格納部３５０に格納される動作プログラムは、画像処理装置３００の基本動作を司る任意のＯＳ（Ｏｐｅｒａｔｉｎｇ　Ｓｙｓｔｅｍ：基本ソフトウェア）の他に、ＯＳと協働して後述する各処理を実現するための以下のような動作プログラムが格納されているものとする。
（１）「通信プログラム」：通信制御部３２０を制御して、通信ネットワーク１０を介した通信を行うプログラム
（２）「画像処理プログラム」：取得した元画像に画像処理を施すプログラム
（３）「ＤＢ制御プログラム」：データベース部３６０を制御するプログラム
（４）「書類作成プログラム」：医療書類の作成処理を行うプログラム
（５）「辞書選択プログラム」：入力時の辞書ファイルを選択するプログラム
（６）「音声認識プログラム」：選択された辞書ファイルを用いて、音声認識を行うプログラム
（７）「ＩＭ（Ｉｎｐｕｔ　ｍｅｔｈｏｄ）プログラム」：音声認識結果に基づいて、入力音声の変換を行うプログラム
【００３６】
データベース部３６０は、例えば、ハードディスク装置などの書き換え可能な記憶装置などから構成され、画像処理および医療書類作成に必要となる各種情報を蓄積する。データベース部３６０の構成を図５に模式的に示す。図示するように、データベース部３６０は、「処理画像ＤＢ３６０１」、「書類テンプレートＤＢ３６０２」、「辞書ＤＢ３６０３」、などのデータベースから構成されている。各データベースの詳細を、以下図面を参照して説明する。
【００３７】
「処理画像ＤＢ３６０１」は、画像処理装置３００により画像処理が施された画像を構成する画素を示す「処理画像情報」と、これに付随する所定の「ヘッダ情報」から構成される「処理画像ファイル」を蓄積する。処理画像ＤＢ３６０１に記録される情報の例を図６に示す。図示するように、処理画像ＤＢ３６０１には、各処理画像ファイルに割り当てられた画像ＩＤ毎にレコードが作成され、各レコードには、処理画像を示す処理画像情報とともに、当該処理画像ファイルのヘッダ情報が記録される。ここで記録されるヘッダ情報は、元画像ファイルに付されたヘッダ情報が引き継がれるとともに、画像処理装置３００で行われた画像処理動作（処理モードの変更遷移など）の履歴を示す情報（以下、「処理履歴情報」とする）が加えられたものである。
【００３８】
「書類テンプレートＤＢ３６０２」は、読影報告書をはじめとする各種医療書類を作成する際に用いられるテンプレートを格納する。書類テンプレートＤＢ３６０２に記録される情報の例を図７に示す。図示するように、書類テンプレートＤＢ３６０２には、各テンプレートに割り当てられたテンプレートＩＤ毎にレコードが作成され、各レコードには、テンプレート種別、最終更新日時、などのインデックス情報と、当該テンプレートファイルが記録される。テンプレートファイルには、当該書類を構成する各項目の入力フィールドが予め用意されているものとする。
【００３９】
「辞書ＤＢ３６０３」は、上記音声認識プログラムが参照する辞書ファイルを格納する。ここで、各辞書ファイルは、単語とその読みとの対応関係を示した「辞書」部と、文法的規則を示した「言語モデル」部から構成される。また、本実施の形態では、音声認識技術を用いた音声入力を行うため、入力された音声データがどのような音素で構成されているかを推定するための確率統計モデルを示す「音響モデル」ファイルが格納されている。辞書ＤＢ３６０３のデータ構成の例を図８に示す。図示するように、辞書ＤＢ３６０３には、一般的な語についての辞書である「基本辞書ファイル」の他に、医療用語に関する複数の辞書ファイルから構成された「専門辞書ファイル群」が格納される。専門辞書ファイル群を構成する複数の辞書ファイルは、例えば、以下のような項目に分類されている。
（１）「身体部位」：人体の所定部位（すなわち、診断や処置の対象となる身体部位）のそれぞれに関連する医療用語に対応した辞書ファイル群
（２）「医療機器」：診断や処置に用いる医療機器のそれぞれに関連する医療用語に対応する辞書ファイル群
【００４０】
以下、本実施の形態における各処理を図面を参照して説明する。
【００４１】
（撮像処理）
まず、撮像装置１００と制御端末２００による「撮像処理」を図９に示すフローチャートを参照して説明する。
【００４２】
撮像担当者（例えば、放射線技師など）による入力装置２３の操作に応じて、制御端末２００の制御部２１０が、プログラム格納部２５０に格納されている「制御プログラム」を実行する。制御部２１０は、入力装置２３からの入力動作に応じて、撮像装置１００の撮像動作を指示する制御信号を生成し、撮像装置１００に送信する（ステップＳ１０１）
【００４３】
撮像装置１００は、制御端末２００からの制御信号に基づいた撮像動作を行い（ステップＳ１０２）、取得した画像情報とともに、ヘッダ情報を構成する情報の一部、すなわち、「撮像部位情報」および「装置情報」を制御端末２００に送信する（ステップＳ１０３）。
【００４４】
制御端末２００は、撮像装置１００から受信した情報を元画像ＤＢ２６０に格納する（ステップＳ１０４）。より詳細には、制御部２１０が「ＤＢ制御プログラム」を実行し、元画像ＤＢ２６０に元画像ファイルのレコードを新規に作成し、当該レコードに撮像された画像を構成する元画像情報を格納する。また、撮像装置１００が付加した「撮像部位情報」と「装置情報」を、ヘッダ情報として当該元画像ファイルに記録する。
【００４５】
担当者は、入力装置２３を操作し、その他のヘッダ情報、すなわち、「患者情報」、「担当者情報」、「関連情報」などを入力する。制御部２１０は、入力された情報を当該画像ファイルのヘッダ情報に追加記録し（ステップＳ１０５）、処理を終了する。
【００４６】
（診断画像作成処理）
次に、画像処理装置３００による「診断画像作成処理」を図１０に示すフローチャートを参照して説明する。ここでは、制御端末２００の元画像ＤＢ２６０に格納されている元画像情報に、所定の画像処理を施すことで、診断に用いられる画像を作成する。例えば、元画像が３次元画像データで構成されている場合、２次元画像情報に変換するなどして、診断用の画像（例えば、患部を明瞭に識別可能に表示する画像など）を作成する。
【００４７】
まず、担当者による入力装置３３の操作に応じて、制御部３１０が、プログラム格納部３５０に格納されている「画像処理プログラム」を実行することで本処理が開始される。画像処理プログラムの動作により、出力装置３４（この場合、表示装置）に、処理対象の画像を選択させる画面が表示される。ここでは、画像処理装置３００と制御端末２００それぞれの通信プログラムの協働により、制御端末２００の元画像ＤＢ２６０に格納されている元画像ファイルの一覧が表示される。
【００４８】
担当者は、表示された一覧のなかから、処理対象となる元画像ファイルを指定する（ステップＳ２０１）。対象画像ファイルが選択されると、通信制御部３２０が、指定された元画像ファイルを制御端末２００の元画像ＤＢ２６０から取得する（ステップＳ２０２）。
【００４９】
制御端末２００の元画像ＤＢ２６０から元画像ファイルを取得すると、制御部３１０は、プログラム格納部３５０に格納されている「ＤＢ制御プログラム」を実行し、処理後の画像ファイル（処理画像ファイル）を格納するためのレコードを処理画像ＤＢ３６０１に新規作成する。制御部３１０は、取得した元画像ファイルに含まれている「ヘッダ情報」を作成したレコードに格納する（ステップＳ２０３）。また、制御部３１０は、取得した元画像ファイルに含まれる元画像情報をワークエリアに保持する。
【００５０】
処理画像ＤＢ３６０１にヘッダ情報が格納されると、制御部３１０は、実施する画像処理を選択するための画面（以下、「処理メニュー画面」とする）を出力装置３４に表示する。処理メニュー画面には、画像処理装置３００が実施可能な種々の「画像処理モード」（例えば、「脳血流解析」や「心臓解析」など）が選択可能に表示される。担当者は入力装置３３を操作し、実施する画像処理モードを指定する。制御部３１０は、選択された画像処理モードを示す情報を、ステップＳ２０３で作成したレコードの「処理履歴情報」欄に記録する（ステップＳ２０４）。
【００５１】
制御部３１０は、ワークエリアに保持されている元画像情報に、指定された画像処理モードに対応した画像処理を行う（ステップＳ２０５）。
【００５２】
ここで、症例などによっては、複数の画像処理モードを遷移させながら画像処理を行うことがある。このような画像処理モードの変更があった場合（ステップＳ２０６：Ｙｅｓ）、制御部３１０は、実施された画像処理モードの遷移履歴を、当該処理画像ファイルのヘッダ情報として「処理履歴情報」に記録する（ステップＳ２０７）。
【００５３】
画像処理が終了すると（ステップＳ２０８：Ｙｅｓ）、制御部３１０は、画像処理が施された画像を構成する処理画像情報を、ステップＳ２０４で作成したレコードに格納し（ステップＳ２０９）、処理を終了する。
【００５４】
（読影報告書作成処理）
次に、画像処理装置３００による「読影報告書作成処理」を図１１に示すフローチャートを参照して説明する。ここで、「読影報告書」とは、画像診断において作成される医療書類であって、診断画像と所見とが記録されたものである。
【００５５】
担当者による入力装置３３の操作に応じて、制御部３１０が、プログラム格納部３５０に格納されている「書類作成プログラム」を実行することで本処理が開始される。
【００５６】
書類作成プログラムの動作に基づいて、制御部３１０は、図１２に示すような「テンプレート選択画面」を出力装置３４に表示する。ここでは、書類テンプレートＤＢ３６０２に格納されているテンプレートが選択可能に表示される。担当者は、入力装置３３を操作し、所望のテンプレート（ここでは、「読影報告書」）を選択する。
【００５７】
制御部３１０は、ＤＢ制御プログラムを実行し、書類テンプレートＤＢ３６０２から、選択されたテンプレートを取得する（ステップＳ３０１）。取得されたテンプレートはワークエリアに保持されるとともに、図１３に示すように出力装置３４に表示される。
【００５８】
図示するように、読影報告書のテンプレートには、「画像挿入枠」が配置されており、ここに対象となる「処理画像」が挿入される。担当者は、入力装置３３を操作して、挿入する処理画像を指定する。ここでは、所定の操作により、処理画像ＤＢ３６０１に格納されている処理画像ファイルの一覧が表示され、その中から対象となる処理画像ファイルを選択する。
【００５９】
対象となる処理画像ファイルが選択されると、制御部３１０は、ＤＢ制御プログラムを実行して、処理画像ＤＢ３６０１から指定された処理画像ファイルを取得し（ステップＳ３０２）、ワークエリアに保持する。
【００６０】
次に制御部３１０は、プログラム格納部３５０に格納されている「辞書選択プログラム」を起動し、当該読影報告書への所見入力時に用いられる辞書ファイルを選択する「辞書選択処理」（ステップＳ４００）を実行する。この「辞書選択処理」を図１４に示すフローチャートを参照して説明する。
【００６１】
制御部３１０は、ステップＳ３０２で取得した処理画像ファイルに記録されている「ヘッダ情報」を取得する（ステップＳ４０１）。
【００６２】
制御部３１０は、取得したヘッダ情報のうち、「相対座標情報」を参照し、対象としている患者の身体部位を推定する（ステップＳ４０２）。ここでは、大まかな身体部位（例えば、「頭部」など）が推定される。
【００６３】
次に制御部３１０は、「装置情報」を参照して、撮像に使用された撮像装置の種別を特定する（ステップＳ４０３）。
【００６４】
次に制御部３１０は、「処理履歴情報」を参照し、記録されている画像処理モードと、ステップＳ４０２で推定した身体部位とに基づいて、診断対象部位を特定する（ステップＳ４０４）。ここでは、対象部位の詳細を特定する。例えば、ステップＳ４０２で「頭部」と推定されている場合に、「画像処理モード」が「脳血流解析」であれば、診断対象部位が「脳」であると特定する。
【００６５】
制御部３１０は、辞書ＤＢ３６０３にアクセスし、ステップＳ４０３で特定した「撮像装置」と、ステップＳ４０４で特定した「対象部位」とに対応した辞書ファイルを指定する（ステップＳ４０５）。制御部３１０は、指定した辞書ファイルにフラグ情報を付加（フラグＯＮ）し（ステップＳ４０６）、「読影報告書作成処理」（図１１）に戻る。ここで付加されるフラグ情報は、後述する入力処理において、音声認識プログラム（あるいは、ＩＭプログラム）が使用する辞書ファイルであることを示すものである。
【００６６】
上記「辞書選択処理」で辞書が選択されると、取得したヘッダ情報および特定した対象部位を示す情報をテンプレートの所定位置に挿入するとともに、処理画像を画像挿入枠内に挿入する（ステップＳ３０３）。各情報が挿入された「読影報告書」の例を図１５に示す。
【００６７】
次に制御部３１０は、各情報が挿入された読影報告書に担当者の所見を入力する「入力処理」（ステップＳ５００）を実行する。この「入力処理」を図１６に示すフローチャートを参照して説明する。なお、本実施の形態では、入力装置３３としてマイクロフォンなどの音声入力装置を用い、担当者の発話に基づいて「所見」を音声入力するものとする。
【００６８】
（入力処理）
図１４に示すように、「読影報告書」には、担当者の所見を入力するエリア（以下「所見入力エリア」とする）が用意されている。担当者は、例えば、ポインティング・デバイスなどの入力装置３３を操作し、この所見入力エリアを選択する。所見入力エリアが選択されたことに応じて、制御部３１０が、プログラム格納部３５０に格納されているＩＭプログラムを起動することで、本処理が開始される。
【００６９】
所見の音声入力の準備ができると、担当者は、ポインティング・デバイスなどの入力装置３３を操作し、所見入力エリア近傍に配置されている「入力開始」ボタンを選択する。制御部３１０は、「入力開始」ボタンの選択を検知すると（ステップＳ５０１：Ｙｅｓ）、プログラム格納部３５０に格納されている「音声認識プログラム」を起動する（ステップＳ５０２）。
【００７０】
担当者は、例えば、キーボード（入力装置３３）の所定のキーを押下（長押し）し、当該キーを押下している間にマイクロフォンなどの入力装置３３に向かって発話することで、音声信号が入力制御部３３０を介して制御部３１０に入力される。ここでは、制御部３１０が、当該キーの押下中のみ音声入力を許可することで、不要な空白や発話音声以外の音声信号の混入を防止する。制御部３１０は、実行している音声認識プログラムとＩＭプログラムの動作により、入力された音声信号を順次音声認識する（ステップＳ５０３）。ここでは、制御部３１０が、随時辞書ＤＢ３６０３にアクセスし、フラグＯＮとなっている辞書ファイルを参照しながら音声認識を行う。より詳細には、入力された音声の特徴量を抽出し、抽出された特徴量と、「音響モデル」、「辞書」、「言語モデル」とのマッチングを行うことで、各音素に対応する単語に変換していく。ここで、当該読影報告書に記入（入力）される所見には、診断対象部位や診断装置（撮像装置）に関する語が多く含まれるが、前述の「辞書選択処理」により、これらに関する辞書ファイルが選択されているので、高い認識精度で変換される。
【００７１】
所見の音声入力が終了すると、担当者は、所見入力エリア近傍に配置されている「入力終了」ボタンを選択する。これに応じて（ステップＳ５０４：Ｙｅｓ）、制御部３１０は、音声認識プログラムによる音声認識動作を停止させ（ステップＳ５０５）、入力処理を終了して、「読影報告書作成処理」（図１１）に戻る。
【００７２】
所見が入力された読影報告書のファイルは、ディスプレイやプリンタなどの出力装置３４に出力されたり、所定の保存場所（データベースなど）に保存されるなどし（ステップＳ３０４）、処理を終了する。
【００７３】
以上説明したように、本発明の実施の形態にかかる医療書類作成システム１によれば、読影報告書に取り込まれる画像ファイルのヘッダ情報に基づいて、細分化された専門辞書ファイルから必要十分な辞書ファイルを選択して音声認識を行うので、高い認識精度で、かつ、高速に音声認識を行うことができる。また、辞書ファイルの指定は自動的に行われるので、ユーザによる辞書選択などの煩雑な作業を必要としない。
【００７４】
上記実施の形態では、専門辞書ファイルを「身体部位」と「医療装置」とで分類したが、分類項目や分類数は上記のものに限られず任意である。例えば、「疾病名」や「薬剤名」、「診察科目」などの分類を加えてもよい。
【００７５】
上記実施の形態では、所見を音声入力する場合を例に説明したが、本発明を適用できる入力方法はこれに限られない。例えば、キーボードなどにより所見を入力する場合にも本発明を適用することができる。この場合、ＩＭプログラムによる「かな漢字変換」の際に指定された辞書ファイルを用いればよい。この場合であっても、必要十分な辞書ファイルのみを用いて変換するので、変換候補数が削減され入力効率を向上させることができる。
【００７６】
また、辞書ファイルの指定に用いられる情報は、上記画像ファイルのヘッダ情報に限られず、例えば、担当者などが入力した情報を辞書ファイルの指定に用いてもよい。さらに、辞書ファイルの更新（いわゆる、「辞書登録」）を随時行うようにしてもよい。この場合、指定されている辞書ファイルに対して辞書登録を行うこととすれば、効率的に辞書登録を行うことができる。
【００７７】
上記実施の形態では、辞書ファイルを指定する場合を例に説明したが、その他の言語情報を指定するように構成してもよい。例えば、用意されている定型文を選択して組み合わせることで所見を入力するようなテンプレートの場合、これらの定型文のセットを上記辞書ファイルと同様に分類して用意し、上記実施例と同様の手法で定型文のセットを指定するようにしてもよい。
【００７８】
上記実施の形態では、「読影報告書」を作成する場合を例に説明したが、任意の医療書類（例えば、「カルテ」や「診断書」など）の作成にも本発明を適用することができる。
【００７９】
上記実施の形態では、画像処理装置３００上で読影報告書を作成する場合を例示したが、画像処理装置３００が処理した画像を用いて、他の装置（端末）上で医療書類の作成が行われてもよい。この場合、例えば、医師などが診察室で使用する端末上で作成することができる。ここで用いられる端末（医師用端末）は、画像処理装置３００から画像処理に関する構成を省いた簡易なものでよい。そして、上記「撮像処理」および「診断画像作成処理」を経ることで、診断用画像が画像処理装置３００の処理画像ＤＢ３６０１に格納される。医師用端末は、上記「読影報告書作成処理」と同様の処理を実行することにより、（１）テンプレートを表示し、（２）処理画像を画像処理装置３００から取得し、（３）取得した処理画像のヘッダ情報に基づいて辞書選択し、（４）選択された辞書を用いて所見を入力する。このような構成によれば、読影報告書の所見を、診察室などにいる担当医が記入する場合であっても、本発明を適用して効率的に医療書類を作成することができる。
【００８０】
また、上記実施の形態では、医療施設Ｈ内の各装置間を通信ネットワーク１０で接続した場合を例に説明したが、例えば、複数の医療施設間をＷＡＮ（Ｗｉｄｅ　Ａｒｅａ　Ｎｅｔｗｏｒｋ：広域情報通信網）で接続した環境において本発明を適用してもよい。
【００８１】
上記実施の形態における制御端末２００および画像処理装置３００は、専用装置で構成可能であることはもとより、例えば、パーソナルコンピュータなどの汎用コンピュータ装置などで構成することもできる。この場合、上記各処理を実現するためのプログラムの一部または全部を汎用コンピュータ装置にインストールし、ＯＳなどの制御下で実行することにより、制御端末２００および画像処理装置３００を構成することができる。この場合のプログラム配布形態は任意である。例えば、ＣＤ−ＲＯＭなどの記録媒体に格納して配布したり、搬送波に重畳させることで通信媒体（インターネットなど）を介して配布することができる。
【００８２】
【発明の効果】
以上説明したように、本発明によれば、医療書類の作成効率を向上させることができる。
【図面の簡単な説明】
【図１】本発明の実施の形態にかかる「医療書類作成システム」の構成を示す図である。
【図２】図１に示す「制御端末」の構成を示すブロック図である。
【図３】図２に示す「元画像ＤＢ」に記録される情報の例を示す図である。
【図４】図１に示す「画像処理装置」の構成を示すブロック図である。
【図５】図４に示す「データベース部」の構成を模式的に示す図である。
【図６】図５に示す「処理画像ＤＢ」に記録される情報の例を示す図である。
【図７】図５に示す「書類テンプレートＤＢ」に記録される情報の例を示す図である。
【図８】図５に示す「辞書ＤＢ」に記録される情報の例を示す図である。
【図９】本発明の実施の形態にかかる「撮像処理」を説明するためのフローチャートである。
【図１０】本発明の実施の形態にかかる「診断画像作成処理」を説明するためのフローチャートである。
【図１１】本発明の実施の形態にかかる「読影報告書作成処理」を説明するためのフローチャートである。
【図１２】図１１に示す「読影報告書作成処理」で表示される「テンプレート選択画面」の表示例を示す図である。
【図１３】図１１に示す「読影報告書作成処理」で表示される「読影報告書」（テンプレート）の表示例を示す図である。
【図１４】図１１に示す「読影報告書作成処理」で実行される「辞書選択処理」を説明するためのフローチャートである。
【図１５】図１１に示す「読影報告書作成処理」で表示される「読影報告書」の表示例を示す図である。
【図１６】図１１に示す「読影報告書作成処理」で実行される「入力処理」を説明するためのフローチャートである。
【符号の説明】
１　医療書類作成システム
１０　通信ネットワーク
１００　撮像装置
２００　制御端末
３００　画像処理装置
【図１】
2004102509.tif 000003
【図２】
2004102509.tif 000004
【図３】
2004102509.tif 000005
【図４】
2004102509.tif 000006
【図５】
2004102509.tif 000007
【図６】
2004102509.tif 000008
【図７】
2004102509.tif 000009
【図８】
2004102509.tif 000010
【図９】
2004102509.tif 000011
【図１０】
2004102509.tif 000012
【図１１】
2004102509.tif 000013
【図１２】
2004102509.tif 000014
【図１３】
2004102509.tif 000015
【図１４】
2004102509.tif 000016
【図１５】
2004102509.tif 000017
【図１６】
2004102509.tif 000018